(57)【要約】【課題】イルミネーション効果の高い電飾団扇を提供する【解決手段】骨格部４の表裏面に化粧シートを配置して骨格部４を隠蔽した外面を形成した扇部１と、扇部１に連設される長板２とを有して構成され、骨格部４ａ〜４ｄに複数の発光素子Ｄ２〜Ｄ９を離散的に配置すると共に、長板２に配置した電子回路によって、発光素子Ｄ２〜Ｄ９を発光させるよう構成した。【選択図】図１
0003156335.tif 000002
【実用新案登録請求の範囲】
【請求項１】
平板状に形成された本体部と、前記本体部に連設される把持部とを有して構成され、
前記把持部及び／又は前記本体部に配置した電子回路によって、前記把持部及び／又は前記本体部に配置した発光素子を点灯させるように構成したことを特徴とする電飾団扇。
【請求項２】
前記本体部は、骨格部の表裏面に化粧シートを配置して前記骨格部を隠蔽した外面を有して構成され、
前記骨格部に離散的に配置した複数の発光素子を、前記把持部に配置した電池に基づいて発光させるようにした請求項１に記載の電飾団扇。
【請求項３】
前記本体部の全部又は一部は、透光性の板材で構成され、前記板材に設けた切込傷によって、前記発光素子の発光を散乱させるよう構成した請求項１に記載の電飾団扇。
【請求項４】
前記本体部の全部又は一部は、圧電素子を配置して構成され、前記圧電素子の起電力によって適所に配置した発光素子を発光させるようにした請求項１に記載の電飾団扇。
【請求項５】
前記骨格部には、前記電子回路との電気接続を実現するケーブルが収容されているか、前記電子回路との電気接続を実現する導電膜が塗布されている請求項２に記載の電飾団扇。
【請求項６】
前記把持部には、電池が交換可能に収容されていると共に、
前記電子回路の動作を許可するスイッチが配置されている請求項１〜３の何れかに記載の電飾団扇。
【請求項７】
前記スイッチは、団扇を扇ぐことを条件にＯＮ動作する可動スイッチで構成されている請求項６に記載の電飾団扇。
【考案の詳細な説明】
【技術分野】
【０００１】
本考案は、発光する団扇に関し、特にイルミネーションとしての効果を発揮する電飾団扇に関する。
【背景技術】
【０００２】
一般に、団扇は、風を送る本体部と、本体部に連設される把持部とで構成されており、本体部には、様々な絵柄や模様が描かれていた。この様な団扇は、祭りや花火大会、コンサート会場でも使用されているが、暗闇の中では、描かれたデザインが見え難いものであった。
【０００３】
そこで、団扇自体に電飾を施して発光させることにより、暗闇の中でも見栄えよい発光団扇が提案されている（特許文献１参照）。この発光団扇は、団扇本体部の骨材を光透過性樹脂で形成しており、発光源からの光によって骨材全体を発光させるものである。
【先行技術文献】
【特許文献】
【０００４】
【特許文献１】実開平７−２５８１６号公報
【考案の概要】
【考案が解決しようとする課題】
【０００５】
しかしながら、上記の考案は、光透過性樹脂で形成された骨材が単純に光るに過ぎず、発光体を離散的に点灯させることはできない。また、適宜に点滅する動作を実現することもできない。
【０００６】
本考案は、上記の問題点に着目してなされたものであって、イルミネーション効果の高い電飾団扇を提供することを目的とする。
【課題を解決するための手段】
【０００７】
上記課題を解決するため、請求項１に係る考案は、平板状に形成された本体部と、前記本体部に連設される把持部とを有して構成され、前記挟持部及び／又は前記本体部に配置した電子回路によって、前記把持部及び／又は前記本体部に配置した発光素子を点灯させるように構成したことを特徴とする。
【０００８】
前記本体部は、骨格部の表裏面に化粧シートを配置して前記骨格部を隠蔽した外面を有して構成され、前記骨格部に離散的に配置した複数の発光素子を、前記把持部に配置した電池に基づいて発光させるのが好ましい。複数の発光素子は、互いに並列に接続されているのが好ましく、この場合には、電池電圧が低くても複数の発光素子を発光させることができる。
【０００９】
また、前記本体部の全部又は一部は、透光性の板材で構成され、前記板材に設けた切込傷によって、前記発光素子の発光を散乱させるよう構成するのも好適である。
【００１０】
或いは、前記本体部の全部又は一部は、圧電素子を配置して構成され、前記圧電素子の起電力によって適所に配置した発光素子を発光させるのも効果的である。この場合には、電池もスイッチも不要となる利点がある。
【００１１】
前記骨格部には、前記電子回路との電気接続を実現するケーブルが収容されているか、前記電子回路との電気接続を実現する導電膜が塗布されているのが典型的である。
【００１２】
また、前記把持部には、電池が交換可能に収容されていると共に、前記電子回路の動作を許可するスイッチが配置されているのが好ましい。ここで、前記スイッチは、団扇を扇ぐことを条件にＯＮ動作する可動スイッチで構成されているのが好適である。
【考案の効果】
【００１３】
上記した本考案によれば、イルミネーション効果が高い電飾団扇を実現できる。
【図面の簡単な説明】
【００１４】
【図１】第一実施例の電飾団扇の構成を示す図面である。
【図２】第二実施例の電飾団扇の構成を示す図面である。
【図３】第三実施例の電飾団扇の構成を示す図面である。
【図４】第四実施例の電飾団扇の構成を示す図面である。
【考案を実施するための形態】
【００１５】
以下、実施例に基づいて本考案を詳細に説明する。図１は、第一実施例の電飾団扇ＦＮを説明する図面であり、正面図（ａ）、右側面図（ｂ）、及び内部回路図（ｃ）などを概略的に示している。
【００１６】
第一実施例の電飾団扇ＦＮは、扇部１と長板２とが一体成形された本体部材ＢＤＹと、長板２を覆うことで団扇の把持部を形成する蓋板ＣＡＰと、扇部１の表裏面に貼着される円型紙（不図示）とで構成されている。特に限定されるものではないが、この実施例では、本体部材ＢＤＹ及び蓋板ＣＡＰは、プラスチック材で構成されている。
【００１７】
そして、長板２に形成された矩形溝ＧＶに、蓋板ＣＡＰに形成された突条ＰＲを係合させることで、本体部材ＢＤＹと蓋板ＣＡＰとが分離可能に一体化される（図１（ｄ）参照）。なお、突条ＰＲは、矩形溝ＧＶに軽く圧入されるか、或いは、矩形溝ＧＶの長さ方向にスライド導入される。
【００１８】
長板２には、電子部品を収容可能な収容溝ＳＰが形成され、収容溝ＳＰの中には、ボタン電池ＢＴと、スライド式のスイッチＳＷと、電流制限用の抵抗Ｒ１と、発光ダイオードＤ１とが配置され、収容溝ＳＰの内部で、図１（ｃ）に示すよう電気接続されている。なお、収容溝ＳＰには、各電子部品の形状に合わせて、適宜な深さの保持溝ＡＴが形成されており（図１（ｈ）参照）、保持溝ＡＴに配置された電子部品の上面を蓋板ＣＡＰが覆うことで、各電子部品が保持される。
【００１９】
本体部材ＢＤＹと蓋板ＣＡＰとが一体化された状態では、スイッチＳＷの操作片は、適宜にスライド移動可能となる。そのため、スイッチＳＷをＯＮ操作すると、ボタン電池ＢＴ→抵抗Ｒ１→発光ダイオードＤ１の経路で電流が流れ、発光ダイオードＤ１が点灯状態となる（図１（ｃ）参照）。なお、蓋板ＣＡＰは、発光ダイオードＤ１の対応位置ＴＮが、適宜に薄肉形成されているので、発光ダイオードＤ１の発光状態は、外部からはっきりと目視可能となる。
【００２０】
本体部材ＢＤＹの扇部１は、円環状に形成された外周縁３と、放射状に延びて外周縁３に繋がる複数本の骨格部４（４ａ〜４ｄを含む）と、骨格部４の要を構成する基端部５と、基端部５に近接する弓部６とを有して構成されている。そして、骨格部４ａ〜４ｄの側面には、発光ダイオードＤ２〜Ｄ９が固着されている。なお、８個の発光ダイオードＤ２〜Ｄ９は、発光ダイオードＤ１と同一特性の素子が使用され、また、扇部１の表裏面全体を覆う円型紙は、発光ダイオードＤ２〜Ｄ９の発光が透けて見える程度の薄さに形成されている。
【００２１】
図１（ａ）の太線は、プラス側の配線ケーブルＨＯＴとマイナス側の配線ケーブルＣＬとを示している。図示の通り、配線ケーブルＨＯＴは、発光ダイオードＤ１のアノード端子から、長板２及び基端部５を経由して、骨格部４ａに向けて敷設されている。この配線ケーブルＨＯＴは、骨格部４ａを通過した後、骨格部４を左向きに通過し、その後は、骨格部４ｂ→骨格部４ｃ→骨格部４→骨格部４ｄの屈曲経路を通過して、発光ダイオードＤ９のアノード端子で終端されている。
【００２２】
また、配線ケーブルＨＯＴの途中は、各々、発光ダイオードＤ２〜Ｄ８のアノード端子に接続されている。そのため、全ての発光ダイオードＤ１〜Ｄ９のアノード端子は、配線ケーブルＨＯＴによって直結状態となる（図１（ｃ）参照）。また、図１（ｅ）のＡ−Ａ断面図に示すように、配線ケーブルＨＯＴは、その配線経路に沿って形成されたケーブル溝に収容されて保持されている。なお、配線ケーブルＨＯＴは、特に被覆される必要はないので、この実施例では、いわゆる裸線を使用している。
【００２３】
上記した配線ケーブルＨＯＴの配線経路に対応して、本体部材ＢＤＹの裏面には、導電性塗料を塗布するか、良導体金属箔を貼着することでマイナス側の導通路ＣＬが形成されている（図１（ｅ）参照）。そして、発光ダイオードＤ２〜Ｄ８のカソード端子が、各々、この導通路ＣＬに接続されている。また、基端部５に形成された貫通孔５ａを経由して、配線ケーブルＣＬと導通路ＣＬとが直結され、ボタン電池ＢＴのマイナス端子に電気接続されている。
【００２４】
このように、この実施例では、同一特性の８個の発光ダイオードＤ２〜Ｄ９が並列接続されるので、原理的には、８個の発光ダイオードＤ２〜Ｄ９が同一レベルに発光する筈である。しかし、実際には、導通路ＣＬに存在する抵抗値に基づき、最上流の発光ダイオードＤ２が最も明るく、最下流の発光ダイオードＤ９が最も暗く発光する。なお、長板２に配置された発光ダイオードＤ１は、発光ダイオードＤ２より更に明るく発光する。
【００２５】
ところで、この実施例では、導通路ＣＬを導電性塗料や良導体金属箔で構成したが、この構成に代えて、通常の配線ケーブルＣＬを敷設しても良く、その場合には、骨格部４の表裏面か、表面及び側面にケーブル溝が形成される（図１（ｆ）図１（ｇ）参照）。なお、この配線ケーブルＣＬも、被覆される必要はなく、好適には裸線が使用される。
【００２６】
図２は、第二実施例の電飾団扇ＦＮを説明する図面であり、正面図（ａ）、右側面図（ｂ）、及び内部回路図（ｃ）を概略的に示している。
【００２７】
第二実施例の電飾団扇ＦＮは、プラスチック薄板で構成された円盤部１０と、円盤部１０の下端部を挟持する保持部２０と、保持部２０を覆うことで団扇の把持部を形成する蓋板ＣＡＰとで構成されている。第二実施例では、円盤部１０に透明なアクリル薄板が使用され、その表裏面には円型紙が貼着されていない。なお、保持部２０及び蓋板ＣＡＰは、適宜なプラスチック材で構成されている。
【００２８】
保持部２０は、第一実施例の長板２とほぼ同様に構成された長板２０ａと、長板２０ａから円盤部１０に向けて突出する、二股分かれの丸板２０ｂとで一体成形されている。そして、二股分かれした丸板２０ｂ，２０ｂの間に、円盤部１０の下端を挟持し、２本のピンＰＮを貫通させた状態で、丸板２０ｂと円盤部１０の接触面が接着されることで、全体が分離不能に一体化されている。
【００２９】
第１実施例の場合と同様、長板２０ａには収容溝ＳＰが形成されており（図１（ａ）参照）、収容溝ＳＰの中には、ボタン電池ＢＴ（不図示）と、スイッチＳＷと、電流制限用の抵抗Ｒ１（不図示）と、発光ダイオードＤ１とが配置されている。そして、各電子部品は、収容溝ＳＰの内部で、図２（ｃ）に示すよう電気接続されている。そして、発光ダイオードＤ１として、第二実施例では、比較的指向性の鋭い砲弾型の発光ダイオードが使用され、これが、円盤部１０に向けて発光するよう配置されている。
【００３０】
長板２０ａと蓋板ＣＡＰの関係は、第一実施例とほぼ同様であり、長板２０ａに形成された矩形溝ＧＶに、蓋板ＣＡＰに形成された突条ＰＲを係合させることで、長板２０ａと蓋板ＣＡＰとが分離可能に一体化される。但し、第二実施例では、蓋板ＣＡＰに薄肉部ＴＮが形成されておらず、紙面に直交して、発光ダイオードＤ１の光が漏れることはない。
【００３１】
先に説明した通り、円盤部１０は、透明なアクリル板で構成されている。そして、円盤部１０の表面又は表裏面には、放射状に広がる花火模様を形成する切込傷が、適所に形成されている。
【００３２】
以上のように構成された電飾団扇ＦＮにおいて、スイッチＳＷをＯＮ操作すると、発光ダイオードＤ１が発光し、その光がアクリル板で構成された円盤部１０に入射する。そして、この入射光は、アクリル板の切込傷に当たることで乱反射し、円盤部１０に花火模様のイルミネーションを出現させることができる。
【００３３】
図３は、第三実施例の電飾団扇ＦＮを示す図であり、正面図（ａ）、右側面図（ｂ）、及び内部回路図（ｃ）などを概略的に示している。この電飾団扇ＦＮは、円盤部３０と保持板３１とが一体化された本体部ＢＳと、保持板３１を受け入れる収容孔を設けた把持部ＨＤとで構成されている。
【００３４】
把持部ＨＤは、プラスチック材を使用して一体成形しても良いが、この実施例では、プラスチック製の上面部ＨＤ１と収容部ＨＤ２とを組み合わせて構成されている。そして、収容部ＨＤ２に保持板３１を受け入れた状態で、全体を接着することで、保持板３１と把持部ＨＤとを分離不能に一体化している（図３（ｅ）参照）。
【００３５】
保持板３１には、第一実施例の長板２と同様に、収容溝ＳＰが形成されている（図１（ａ）参照）。そして、保持板３１に形成された収容溝の中に、２つの発光ダイオードＤ１，Ｄ２と、電流制限用の抵抗Ｒ１が配置されて、図３（ｃ）に示すよう電気接続されている。図３（ｃ）から確認される通り、発光ダイオードＤ１，Ｄ２のアノード端子とカソード端子は、互いに逆方向に接続され、発光ダイオードＤ１のアノード端子と発光ダイオードＤ２のカソード端子の接続点に、電流制限抵抗Ｒ１が接続されている。なお、この実施例では、ボタン電池やスイッチは使用されない。
【００３６】
図３（ｂ）に示す通り、円盤部３０は、二枚の圧電素子３０ａ，３０ｂを重合して構成されている。そして、各圧電素子３０ａ，３０ｂの出力端子は、抵抗Ｒ１と発光ダイオードＤ１のカソード端子に各々接続されている。なお、圧電素子としては、例えば、薄板状に形成された圧電セラミックスが使用される。
【００３７】
何れにしても、円盤部３０は、二枚の圧電素子３０ａ，３０ｂが重合して構成されているので、円盤部３０を撓ませると、一方の圧電素子３０ａが伸びると共に、他方の圧電素子３０ｂが縮むことで、２つの圧電素子３０ａ，３０ｂの間に起電力が発生する。
【００３８】
この起電力の向きは、円盤部３０の撓む方向に応じて変化するので、第三実施例の円盤部３０は、団扇を扇ぐだけで交流電圧を発生する交流発電機として機能する。そのため、団扇の撓み方向に応じて、発光ダイオードＤ１の点灯と、発光ダイオードＤ２の点灯とが繰り返えされることになり、適宜な点滅動作が実現される。
【００３９】
このように第三実施例の電飾団扇ＦＮは、団扇を扇いで振動を与えるだけで起電力が発生するので、電池が不要であり、電池交換などを伴うことなく、半永久的に点滅動作を繰り返すことができる。
【００４０】
以上、本考案の実施例について具体的に説明したが、具体的な記載内容は特に本考案を限定するものではない。例えば、各実施例の電飾団扇は、団扇本体が略円盤状に形成されているが、矩形状であっても良いし、他の形状であっても良い。同様に、団扇の把持部は、円筒状に形成されていても良いし、特に形状は限定されない。また、発光部は、必ずしも発光ダイオードを使用する必要はない。
【００４１】
また、第一実施例や第二実施例では、スライド式のスイッチＳＷを使用したが、これに代えて、遠心力で可動する可動接点を設けた可動スイッチを用いるのも好適である。この構成では、団扇を扇いで遠心力を作用させると、可動接点ＭＶが固定接点Ｓ１，Ｓ２を短絡させることでスイッチがＯＮ状態となり、扇ぎ動作を停止すると、遠心力が消滅することで、可動接点ＭＶが元の位置に戻り、スイッチがＯＦＦ状態になる（図２（ｄ）参照）。このような構成を採用することで、団扇を扇ぐことで発光部を適宜に点滅させることが可能となる。
【００４２】
また、第二実施例の電飾団扇ＦＮには、花火模様の傷跡が形成されているが、他の模様を形成しても良いのは言うまでもない。また、第三実施例の電飾団扇ＦＮでは、図３（ｄ）に示すように、単一の発光部を配置して点滅させても良い。
【００４３】
また、第二実施例のように、必ずしも、円盤状のプラスチック薄板を使用する必要はない。図４は、半月状のプラスチック板を使用する第四実施例の電飾団扇ＦＮを示す正面図である。この電飾団扇ＦＮは、骨格部を化粧紙で覆った円盤部４０と、電池ＢＴや可動スイッチＳＷや可動スイッチＳＷを収容した把持部４１と、円盤部４０の下端部に配置される半月状の樹脂板４２とが一体化されて構成されている。
【００４４】
可動スイッチＳＷは、板バネの一端に設けられた可動接点Ｓ１と、固定接点Ｓ２と、略円盤状の可動体ＭＶとで構成され、可動接点Ｓ１と固定接点Ｓ２とでリミットスイッチを構成している。そのため、団扇ＦＮを静止させた状態では、可動体ＭＶの荷重によって可動接点Ｓ１が降下して可動スイッチＳＷがＯＦＦ状態を維持するが、団扇ＦＮを扇ぐことで可動体ＭＶが上昇すると、板バネで構成された可動接点Ｓ１が上昇して可動スイッチＳＷがＯＮ状態となり発光ダイオードＤ１が点灯する。
【００４５】
この実施例の樹脂板４２は、透明又は半透明に形成されて、星やハートなどの適宜な模様が描かれている。これらの模様は、図２の実施例と同様に、切込傷で形成しても良いし、発光塗料や蛍光塗料などで形成しても良い。何れにしても、把持部４１には、電池ＢＴと発光ダイオードＤ１が配置されているので、可動スイッチＳＷがＯＮ動作して発光ダイオードＤ１が発光すると、樹脂板４２に描かれた模様が浮き出ることになる。なお、樹脂板４２の上辺に沿って、適当個数の発光ダイオードＤ２〜Ｄ７を配置しても良い。
【符号の説明】
【００４６】
１            本体部
１０          本体部
３０          本体部
２            把持部
２０          把持部
３１          把持部
４            骨格部
３０ａ，３０ｂ  圧電素子
Ｄ２〜Ｄ９      発光素子
【図１】
0003156335.tif 000003
【図２】
0003156335.tif 000004
【図３】
0003156335.tif 000005
【図４】
0003156335.tif 000006